(57)【特許請求の範囲】
【請求項１】
取り付けられたランセット尖端を本体（１）の先方端から瞬発的に射出させるために配置された、コイルばね（５）と解放機構（３、９、１０）と、使い捨ての、ランセットの後方端が差し込まれる前方が開いているソケット（２０）を備えた、本体（１）の内部のランセットキャリア（４）とを有する皮膚プリッカであって、
コイルばね部（５）はランセットが取り付けられていない場合、ソケット（２０）を最小の径に圧縮するため該ソケット（２０）を通常包囲しているが、前記最小の径より大きい径を持つランセットの後方端を受け入れるようにソケットが広がることを特徴とする皮膚プリッカ。
【請求項２】
前記ソケット（２０）の口が、ランセットの挿入を容易にし、且つ最初の膨張ができるように外方に開いた面（２６）を有していることを特徴とする請求項１に記載の皮膚プリッカ。
【請求項３】
前記ソケット（２０）が、口からベース（２４）に到る少なくとも一つの縦スリット（２３）を備えることを特徴とする請求項１又は２に記載の皮膚プリッカ。
【請求項４】
ベース（２４）において、スプリットのいずれかの側部か各スプリット（２３）において、ソケット壁は周辺が切り放たれ（２５）、該スプリットを広くするため拡大できる２つのウィングがあることを特徴とする請求項３に記載の皮膚プリッカ。
【請求項５】
キャリアが後方位置へ移動した時の解放機構による保持の為の少なくとも１つの戻り止め（２９）を有するソケット（２０）の後方に延びるステム部分（２７）をランセットキャリア（４）が備えていることを特徴とする請求項１から４までのいずれか１つに記載の皮膚プリッカ。
【請求項６】
前記少なくとも１つの戻り止めが２つの対向する戻り止め（２９）から成り、該対向する戻り止め（２９）と協働するために、前記本体（１）の内部で前記ステム部分（２７）と並設する２つの後方に射出するフィンガ（９）と、該フィンガ（９）と協働し、押しつけられると、戻り止め（２９）を離脱するためにフィンガを広げる、本体の後方の加圧体（３）と、を解放機構が備えていることを特徴とする請求項５に記載の皮膚プリッカ。
【請求項７】
ランセットキャリア（４）はモールドプラスチックからなり、前記ステム部分（２７）はばね要素を形成する前方で外側に射出するフィンガ（３０）を有し、該ばね要素はランセットキャリア（４）の前方ストロークの端部を緩衝するため本体（１）の内部の受け（６）と協働し、且つ本体内部でランセット尖端の引き戻しを促進することを特徴とする請求項５又は６に記載の皮膚プリッカ。
【請求項８】
前記コイルばね（５）の後方端は前記受け（６）の前方側に対し作用することを特徴とする請求項７に記載の皮膚プリッカ。
【発明の詳細な説明】
本発明は、皮膚プリッカ(pricker)の改良に関する。
僅かの血液のサンプルは、多くの医学的立場における分析又は検査で要求される。しばしば患者に対し、自分のサンプルを採血し、ホームユース器具で自ら検査をすることが任されており、多くのランセット(lancet)装置がこれらの処理を簡単に安全に且つできるだけ苦痛を与えることなくできるように開発された。通常何回も使用できる射出(firing)機構があるが、サンプルを採取した後ランセットは廃棄され、使用後新鮮なランセットを装填しなければならない。ランセットを再使用することは明らかに危険がある。
廃棄しなければならない事由のためランセットは廉価でなければならない。通常の形態はほぼ円筒形のプラスチック本体に収納された穿刺針を有し、一体にモールドされたはぎ取るタイプのキャップが取り除かれたとき、針の尖端だけが露出する。かかるランセットはこのような全般的な方式に合致するとはいえ、一様な寸法ではなく、且つ同じ製造業者からのバッチ生産であってさえも異なる。
射出装置内でランセットを保持する通常の方法は、トリガ機構により釈放されるばねで付勢されているホルダの前方端から、ソケット内にその後方端を押し込むことである。押圧動作で嵌着する場合、使用中ランセットを確実に保持する必要があるが、上述のようにいろいろな寸法があるので、これは常に当てはまるものでもない。時々ランセットは締まりがなく、ソケット内に押し込むには余りにも大きく、とにかく損傷が発生しないということはなく又は膨張したままということもある。
本発明の目的は、ランセットのいろいろな寸法に適応できる簡易な皮膚プリッカを提供することにある。
本発明によれば、ランセットの尖端を本体の先端から瞬間的に射出させるため、後方の位置から釈放できるばねで付勢されたランセットキャリアを包含する本体を有する皮膚プリッカを提供するもので、ランセットキャリアは前方に開口のあるソケットを有し、ランセットの後方端はソケットの中に押し込まれ、ばね付勢は、その一部がソケットを包囲するコイルばねによるものであり、このコイルばねは通常ソケットを最小の径に締め付けるが、ソケットはこの最小のものよりもより大きい径を持つランセットの後部端を受け入れるように広げることができる。
このようにしてランセツトはソケットの中に圧入でき、それに適合するに必要なだけ広げることができ、ばねは確実なグリップを保持できるようになっている。ソケットの口は容易に挿入でき且つ最初の拡大ができるように外方に開いた面がある。
ソケットの一つの好ましい実施形態では、ソケットは口からベースへの縦方向のスリットがあり、このスリットのいずれかの側部のベースにおいて、ソケット壁は周辺が切り離され、スプリットを広くするため拡大できる２つのウィングがある。ソケットの周辺に複数のかかるスプリットがある。
ランセットキャリアは、キャリアが後方位置へ移動したとき、釈放機構により保留するための留め金を有するソケットの後方に延びる部分を備える。この釈放機構は対向する留め金と協働するため、前記本体の内部で且つ前記部分と並設する２つの後方に射出するフィンガと、該フィンガと協働し且つ押したとき留め金を離脱するためフィンガを広げる本体の後方の加圧体とを具備する。
このランセットキャリアは普通モールドプラスチックからなり、前記部分はばね構体を形成する前方で外側に射出するフィンガを有し、該ばね構体はランセットキャリアの前方ストロークの端部を緩衝するため本体の内部の受けと協働し、且つ本体内部でランセット尖端の引き戻しを促進する。前記コイルばねの後方端は前記受けの前方側に対し好都合に作用する。
以下本発明をよりよく解明するため、一つの実施形態を添付図面を参照して詳述する。
図１は皮膚プリッカの側面図である。
図２は図１の矢印Ａ方向から見た皮膚プリッカの他の側面図である。
図３は図２の線III−IIIに沿うプリッカの射出される前の縦断面図である。
図４は図３の線IV−IVに沿い、且つ側面図で示すランセットホルダから離間したプリッカの射出された後の縦断面図である。
図５はランセツトホルダとばね構体の側面図である。
図６は図５の線VI−VIに沿う前記構体の縦断面図である。
図面に示すように、皮膚プリッカの主構成部材は、一般に函区分本体１と、この本体の前方端と合致するキャップ２と、本体の後方端と合致する加圧体３と、本体内のランセツトホルダ４と、ばね５とを備えている。
本体１は、先端から中央開口７を持つバルクヘッドにより規定される受け６に延びる函区分である。ウイング８の２つの対向面は後方まで平行に延び、他の２つの面はバルクヘッドにより規定される受け６の手前で止まる。開口７の両側に２個のフィンガ９があり、ウイング８の後方に平行に且つその内側に延び、フィンガの内側のその後方端付近に歯１０とその根元付近に歯１１が設けられる。歯１０の先でフィンガの内側面１２は外側に開いた面となっている。本体１の２つの対向する内側面は、バルクヘッドにより規定される受け６の前方に、案内溝１３を形成する縦方向のリブを有している。
キャップ２はグリップ用として外側にリブが設けられ、先端にはランセットの尖端が射出される開口１５が設けられる。キャップ２は本体１の先端の外部さねはぎ(rebbet)と嵌合し、キャツプ２の内側の２つの対向側部に該さねはぎ内の溝にスナップ結合するリブ１６を備えている。それ故キャツプは使用時充分に固着され、ランセットを交換するときには引き離し、また押し込むことができる。
加圧体３は一般にＵ字形をしており、その側部リム１７はウイング８の縁間の空所をほぼ満たし、リムは加圧体３を本体に実質的に保留するため段がつけられ、限定された縦方向の動きができるようにしてある。加圧体３のベースの内側にランセットホルダ４の後方端を自由に受け入れることができ、その縁はフィンガ１９の外方に開いた面１２と協働するカップ１８を有する。カップはその対向側において２つの前方に射出するフィンガ１９まで延在する。
図５と図６においてばねを分離して示すランセットホルダ４は、ほぼワイングラス形状をしている。前方端において、“ボール”はほぼ円筒形のソケット２０であり、そのほぼ中間点の外部に全く反対側の射出耳２２を持つ周辺リブ２１を備えている。これらは溝１３内に係合することによりホルダ４を案内する。ソケットは口からベースへの縦方向スプリット２３を有し、ベース２４に隣接して壁が２５で両方向に円周方向に切り取られ、スプリット２３の両側にウィングを成形する。ソケットの口は図６に２６で示すように内部的に外側に開いている。
ランセットホルダ４のステム部分２７はその後方端に反対方向横方向の２つの歯又は戻り止め２９を有し、ステムの周囲に前方且つ外側に延びる互い違いの２つの反対方向のフィンガ３０を備えている。ホルダ４はプラスチック材料から成り、フィンガは薄いが充分弾性を持ちばねとして作用する。
主コイルばね５はランセットホルダ４のステム部分２７とソケット２０の後部を囲み、リブ２１で支承される。主コイルばね５は該リブを支承することより以上に、その最終の巻回でスプリット２３の間隙を詰め続けるようにするためにソケットを通常押しつける。このばね構体は本体１に前方端から挿入され、フィンガ３０はランセットホルダ４のステム部分２７に向けて間隔を詰め、後方端が開口７を通して押し入ることができる。フィンガ３０は次いで再び広がり、ばね５はバルクヘッドにより規定される受け６の前方側に向け支承するように留まる。歯又は戻り止め２９は図３に示す位置にスナップ作用で歯１１と１０を通過し、装置は射出準備される。ランセットの後方端をフィンガ１９に詰め込んだとき最終動作が達成され、フィンガはランセットを受け入れるに充分な程度広がる。ランセツトはスチール針を収納するプラスチックの本体を有する通常ほぼ円筒形の形状をしている。最初の段階では外方に開いた面２６により容易に進み、コイルばね５はグリツプが強固であることを保証している。フィンガ３０と協働してフィンガ１９はランセットホルダが図４の面で傾むかないように保持し、他方これに直角に傾く傾向に対してはフィンガ９により阻止される。
装置を射出させるには、加圧体３を前方に押しつけると、カップ１８が面１２に当接することによりフィンガ９を広げる。これにより歯１０は歯又は戻り止め２９を釈放し、ランセットホルダ４は瞬間的に前方に打ち出され針の尖端を射出する。フィンガ３０の両端はバルクヘッドにより規定される受け６を叩きそして広げられる。前方への移動は歯１１に当接する歯２９により制限されるがこれは可成りな程度まで加圧体３により与えられたものではない。次いでフィンガ３０はホルダ４を後退するよう復元し、開口１５から針の尖端を内側に引き戻す。その後キャツプ２が取り除かれ、ランセットを簡単に引っ張ることによりソケット２０から引き抜くことができる。これにより装置は新しいランセットを受け入れる準備が成される。
【図１】
0003821490.tif 000002
【図２】
0003821490.tif 000003
【図３】
0003821490.tif 000004
【図４】
0003821490.tif 000005
【図５】
0003821490.tif 000006
【図６】
0003821490.tif 000007